(57)【要約】【課題】入力電圧が変動する時の電力効率が改善された光源駆動回路を提供する。【解決手段】DC電圧によって光源に電力を供給するための光源駆動回路において、光源は第1の光源および第2の光源によって構成されている。駆動回路は、第1の制御回路および第2の制御回路を含む。DC電圧が第1の範囲内にある場合には、第1の制御回路が第1のスイッチを制御し、かつ第2の制御回路が第2のスイッチを制御して、第1の光源をオンし、かつ第1の光源の中を流れる電流を調整する。DC電圧が第2の範囲内にある場合には、第1の制御回路および第2の制御回路が、第1のスイッチをオフし、かつ第2のスイッチをオンして、第1の光源および第2の光源の両方の中を流れる電流を調整するように制御する。【選択図】図２
2017054803.tif 000002
【特許請求の範囲】
【請求項１】
DC(直流)電圧によって第1の光源および第2の光源に電力を供給するための光源駆動回路において、
前記第1の光源に接続されていて、第1の電流基準および前記第1の光源の中を流れる電流を示す第1の検知信号に基づいて前記第1の光源に接続された第1のスイッチを制御するために動作可能な第1の電流レギュレータと、
前記第2の光源に接続されていて、第2の電流基準および前記第1の光源および前記第2の光源の中を流れる電流を示す第2の検知信号に基づいて前記第2の光源に接続された第2のスイッチを制御するために動作可能な第2の電流レギュレータと、
前記第1の電流レギュレータおよび前記第2の電流レギュレータに接続されていて、前記第1の光源の中を流れる前記電流または前記第1の光源および前記第2の光源の中を流れる前記電流を制御して調整するために動作可能なコントローラとを備えていて、前記DC電圧が第1の範囲内にある場合には、前記コントローラおよび前記第1の電流レギュレータが前記第1の光源をオンし、前記DC電圧が第2の範囲内にある場合には、前記コントローラおよび前記第2の電流レギュレータが前記第1の光源および前記第2の光源をオンする
ことを特徴とする光源駆動回路。
【請求項２】
前記第1の光源は第1の数の発光ダイオードを有していて、かつ前記第2の光源は第2の数の発光ダイオードを有していて、前記第1の数は前記第2の数より大きい
ことを特徴とする請求項１に記載の光源駆動回路。
【請求項３】
更に、前記第1の検知信号を提供するために動作可能な第1の電流センサを備えていて、前記第1の電流センサは、第1の抵抗を持つ第1の抵抗器を有していて、
更に、前記第2の検知信号を提供するために動作可能な第2の電流センサを備えていて、前記第2の電流センサは、第2の抵抗を持つ第2の抵抗器を有していて、
前記第1の電流基準は前記第2の電流基準に等しく、前記第1の光源は、第1の順方向電圧を持つ第1の数の発光ダイオードを有していて、前記第2の光源は、第2の順方向電圧を持つ第2の数の発光ダイオードを有していて、前記第2の抵抗に対する前記第1の抵抗の比は、前記第1の順方向電圧と前記第2の順方向電圧の和に対する前記第1の順方向電圧の比に等しい
ことを特徴とする請求項１に記載の光源駆動回路。
【請求項４】
更に、前記第1の検知信号を提供するために動作可能な第1の電流センサを備えていて、前記第1の電流センサは、第1の抵抗器を有していて、
更に、前記第2の検知信号を提供するために動作可能な第2の電流センサを備えていて、前記第2の電流センサは、第2の抵抗器を有していて、
前記第1の抵抗器の抵抗は、前記第2の抵抗器の抵抗に等しく、前記第1の光源は、第1の順方向電圧を持つ第1の数の発光ダイオードを有していて、前記第2の光源は、第2の順方向電圧を持つ第2の数の発光ダイオードを有していて、前記第2の電流基準に対する前記第1の電流基準の比は、前記第1の順方向電圧に対する前記第1の順方向電圧および前記第2の順方向電圧の和の比に等しい
ことを特徴とする請求項１に記載の光源駆動回路。
【請求項５】
前記DC電圧が前記第1の範囲内にあり、前記DC電圧が、前記第1の順方向電圧より大きく、かつ前記第1の順方向電圧と前記第2の順方向電圧の和より小さい場合には、前記第1の電流レギュレータが、前記第1の光源の中を流れる前記電流を第1の値に調整し、
前記DC電圧が前記第2の範囲内にあり、前記DC電圧が、前記第1の順方向電圧と前記第2の順方向電圧の和より大きい場合には、前記第2の電流レギュレータが、前記第1の光源および前記第2の光源の中を流れる前記電流を第2の値に調整し、前記第2の値は前記第1の値より小さい
ことを特徴とする請求項３または４に記載の光源駆動回路。
【請求項６】
前記第1の電流レギュレータは第1の演算増幅器を有していて、前記第1の演算増幅器の非反転入力は前記第1の電流基準を受信し、前記第1の演算増幅器の反転入力は前記第1の検知信号を受信し、前記第1の演算増幅器の出力は前記第1の電流基準および前記第1の検知信号に基づいて前記第1のスイッチを制御し、
前記第2の電流レギュレータは第2の演算増幅器を有していて、前記第2の演算増幅器の非反転入力は前記第2の電流基準を受信し、前記第2の演算増幅器の反転入力は前記第2の検知信号を受信し、前記第2の演算増幅器の出力は前記第2の電流基準および前記第2の検知信号に基づいて前記第2のスイッチを制御し、
前記コントローラは第3の演算増幅器を有していて、前記第3の演算増幅器の非反転入力は前記第2のスイッチに接続されていて、前記第3の演算増幅器の反転入力および出力は前記第1のスイッチに接続されている
ことを特徴とする請求項１に記載の光源駆動回路。
【請求項７】
第1の光源および第2の光源を駆動するための光源駆動回路において、
AC(交流)電圧を整流して整流されたAC電圧にするために動作可能な整流器と、
前記整流器に接続されていて、前記整流されたAC電圧をフィルタリングしてDC(直流)電圧を提供するために動作可能なキャパシタと、
前記第1の光源に接続された第1のスイッチと、
前記第1の光源に接続されていて、前記第1の光源の中を流れる電流を検知して第1の検知信号を提供するために動作可能な第1の電流センサと、
前記第1の光源に接続されていて、前記第1のスイッチを制御して、第1の電流基準および前記第1の検知信号に基づいて前記第1の光源の中を流れる前記電流を調整するために動作可能な第1の電流レギュレータと、
前記第2の光源に接続された第2のスイッチと、
前記第2の光源に接続されていて、前記第1の光源および前記第2の光源の中を流れる電流を検知して第2の検知信号を提供するために動作可能な第2の電流センサと、
前記第2の光源に接続されていて、前記第2のスイッチを制御して、第2の電流基準および前記第2の検知信号に基づいて前記第1の光源および前記第2の光源の中を流れる前記電流を調整するために動作可能な第2の電流レギュレータと、
前記第1の電流センサおよび前記第2の電流センサに接続されていて、前記第1の電流レギュレータおよび前記第2の電流レギュレータを制御することによって、前記第1の光源の中を流れる前記電流、または前記第1の光源および前記第2の光源の中を流れる前記電流を制御するために動作可能なコントローラとを備えていて、
前記DC電圧が第1の範囲内にある場合には、前記コントローラは前記第1の光源をオンし、
前記DC電圧が第2の範囲内にある場合には、前記コントローラは前記第1の光源および前記第2の光源をオンする
ことを特徴とする光源駆動回路。
【請求項８】
前記第1の光源は第1の数の発光ダイオードを有していて、前記第2の光源は第2の数の発光ダイオードを有していて、前記第1の数は前記第2の数より大きい
ことを特徴とする請求項７に記載の光源駆動回路。
【請求項９】
前記第1の光源は、第1の順方向電圧を持つ第1の数の発光ダイオードを有していて、前記第2の光源は、第2の順方向電圧を持つ第2の数の発光ダイオードを有していて、前記第1の電流基準は前記第2の電流基準に等しく、前記第1の電流センサは、第1の抵抗を持つ第1の抵抗器を有していて、前記第2の電流センサは、第2の抵抗を持つ第2の抵抗器を有していて、前記第2の抵抗に対する前記第1の抵抗の比は、前記第1の順方向電圧と前記第2の順方向電圧の和に対する前記第1の順方向電圧の比に等しい
ことを特徴とする請求項７に記載の光源駆動回路。
【請求項１０】
前記第1の光源は、第1の順方向電圧を持つ第1の数の発光ダイオードを有していて、前記第2の光源は、第2の順方向電圧を持つ第2の数の発光ダイオードを有していて、前記第1の電流センサは第1の抵抗器を有していて、前記第2の電流センサは第2の抵抗器を有していて、前記第1の抵抗器の抵抗は前記第2の抵抗器の抵抗に等しく、前記第2の電流基準に対する前記第1の電流基準の比は、前記第1の順方向電圧に対する前記第1の順方向電圧と前記第2の順方向電圧の和の比に等しい
ことを特徴とする請求項７に記載の光源駆動回路。
【請求項１１】
前記DC電圧が前記第1の範囲内にあり、前記DC電圧が、前記第1の順方向電圧より大きく、かつ前記第1の順方向電圧と前記第2の順方向電圧の和より小さい場合には、前記第1の電流レギュレータが、前記第1の光源の中を流れる前記電流を第1の値に調整し、
前記DC電圧が前記第2の範囲内にあり、前記DC電圧が、前記第1の順方向電圧と前記第2の順方向電圧の和より大きい場合には、前記第2の電流レギュレータが、前記第1の光源および前記第2の光源の中を流れる前記電流を第2の値に調整し、前記第2の値は前記第1の値より小さい
ことを特徴とする請求項９または１０に記載の光源駆動回路。
【請求項１２】
前記第1の電流レギュレータは第1の演算増幅器を有していて、前記第1の演算増幅器の非反転入力は前記第1の電流基準を受信し、前記第1の演算増幅器の反転入力は前記第1の検知信号を受信し、前記第1の演算増幅器の出力は、前記第1の電流基準および前記第1の検知信号に基づいて前記第1のスイッチを制御し、
前記第2の電流レギュレータは第2の演算増幅器を有していて、前記第2の演算増幅器の非反転入力は前記第2の電流基準を受信し、前記第2の演算増幅器の反転入力は前記第2の検知信号を受信し、前記第2の演算増幅器の出力は、前記第2の電流基準および前記第2の検知信号に基づいて前記第2のスイッチを制御し、
前記コントローラは第3の演算増幅器を有していて、前記第3の演算増幅器の非反転入力は前記第2の電流センサに接続されていて、前記第3の演算増幅器の反転入力および出力は前記第1の電流センサに接続されている
ことを特徴とする請求項７に記載の光源駆動回路。
【発明の詳細な説明】
【技術分野】
【０００１】
本発明は、光源を駆動するための回路に関する。
【背景技術】
【０００２】
図1は、従来のLED120の駆動回路100を示している。駆動回路100は、整流器104、キャパシタ106、制御ユニット108、スイッチ110、および電流センサ114を含む。
【発明の概要】
【発明が解決しようとする課題】
【０００３】
従来の駆動回路100の欠点は、入力AC電圧が（例えば85VACから115VACまで）変動する時に、駆動回路100の電力効率が低下することである。回路の設計は、85VAC入力で正常動作を保証する。しかしながら、電力源が115VACである時に、整流器104の後に、キャパシタ106によってフィルタリングされると、スイッチ110での追加の電圧降下は約(115-85)×√2であり、これは約42.42Vである。スイッチでの追加の電力損失は(42.42V×ILED)である。ここでILEDはLED120の中を流れる電流である。換言すれば、より高い入力AC電圧は、より高い電力損失という結果になる。回路100は、多くの応用で使用することを思いとどまらせる。
【課題を解決するための手段】
【０００４】
DC電圧によって光源に電力を供給するための光源駆動回路において、光源は第1の光源および第2の光源によって構成されている。駆動回路は、第1の制御回路および第2の制御回路を含む。DC電圧が第1の範囲内にある場合には、第1の制御回路が第1のスイッチを制御し、かつ第2の制御回路が第2のスイッチを制御して、第1の光源をオンし、かつ第1の光源の中を流れる電流を調整する。DC電圧が第2の範囲内にある場合には、第1の制御回路および第2の制御回路が、第1のスイッチをオフし、かつ第2のスイッチをオンして、第1の光源および第2の光源の両方の中を流れる電流を調整するように制御する。
【図面の簡単な説明】
【０００５】
【図１】従来の光源駆動回路を示している。
【図２】本発明の一実施形態による光源駆動回路を示している。
【図３】本発明の他の実施形態による光源駆動回路を示している。
【図４】本発明の他の実施形態による光源駆動回路を示している。
【図５】本発明の他の実施形態による光源駆動回路を示している。
【図６】本発明の他の実施形態による光源駆動回路を示している。
【発明を実施するための形態】
【０００６】
図2は、本発明の一実施形態による、光源駆動回路200を示している。駆動回路200は、光源（例えば、第1のLED列220Aおよび第2のLED列220B）の電力を制御する。各LED列220AおよびLED列220Bは、複数のLEDを含んでいる。例えば、LED列220Aは15個のLEDを含んでいて、LED列220Bは3個のLEDを含んでいる。さらに、LED列220AおよびLED列220Bは、タップ点を有する1つのLED列とみなされ得る。一例では、図2のスイッチQ1およびQ2は、パワー金属酸化物半導体電界効果トランジスタであり得る。
【０００７】
駆動回路200は、整流器204、キャパシタ206、第1の電流レギュレータ208A、第2の電流レギュレータ208B、LED列220Aと直列に接続されたスイッチQ1、LED列220Bと直列に接続されたスイッチQ2、電流センサ（例えば、第1の電流検知抵抗器R1および第2の電流検知抵抗器R2）、およびコントローラ210を含んでいる。整流器204は、電力源202からのAC電圧VACを整流して、整流されたAC電圧にする。キャパシタ206は、整流されたAC電圧をフィルタリングして、実質的なDC電圧VDCを提供する。DC電圧VDCの波形は、図2に示されている。キャパシタ206は、電解コンデンサであってもよい。電流センサR1は、LED列220Aの中を流れる電流を検知して、検知信号を電流レギュレータ208Aに提供する。電流センサR2は、LED列220Aおよび220Bを通る電流を検知して、検知信号を電流レギュレータ208Bに提供する。電流レギュレータ208A、電流レギュレータ208B、およびコントローラ210を含む制御回路は、スイッチQ1およびQ2を制御して、LED列220AまたはLED列220Aおよび220Bの両方を通る電流を調整する。
【０００８】
動作中、DC電圧VDCが、LED列220Aの順方向電圧より大きく、かつLED列220Aの順方向電圧とLED列220Bの順方向電圧の和より小さい場合、電流レギュレータ208AがスイッチQ1を制御し、かつ電流レギュレータ208BがスイッチQ2をオフにする。従って、LED列220Aを通る電流は第1の値I1に調整され、かつLED列220Bを通る電流はゼロである。DC電圧VDCがLED列220Aの順方向電圧とLED列220Bの順方向電圧の和まで上昇すると、コントローラ210および電流レギュレータ208Aは、スイッチQ1をオフにし、電流レギュレータ208Bは、スイッチQ2をオンにして、LED列220Aおよび220Bの両方の中を流れる電流を第2の値I2に調整する。上述したように、電源202の変動によるDC電圧VDCの様々なレベルに応じて、制御回路は、選択的にスイッチQ1またはスイッチQ2をオンにする。図1に示した回路と比較すると、駆動回路200は、電源の変動に応じてスイッチでの電圧降下を減らす手段を提供する。このように、駆動回路200は、電力損失を減らして、電力効率を改善する。
【０００９】
駆動回路200の動作によれば、スイッチQ1がオンで、スイッチQ2がオフである時、LED列220Aがオンされる。スイッチQ1がオフで、スイッチQ2がオンである時、LED列220AおよびLED列220Bの両方がオンされる。光源の明るさの変化が目立たないように、すなわち低い電力損失を維持する一方で電源の変動が光源の明るさに影響を及ぼさないように、光源の出力パワーは、2つの動作、Q1オンかつQ2オフと、Q1オフかつQ2オンの間のスイッチングに関わらず、実質的に一定であることが望まれる。本発明の一実施形態では、これは、電流検知抵抗器R1とR2の比を適切に選択することによって達成され得る。これは図3の中で後述する。本発明の別の実施形態では、これは、電流レギュレータ208Bによって受信される第2の電流の基準に対する電流レギュレータ208Aによって受信される第1の電流基準の比を適切に選択することによって達成され得る。これは図4の中で後述する。
【００１０】
図3は、本発明の他の実施形態による、光源駆動回路300を示している。駆動回路300は、整流器204、キャパシタ206、演算増幅器301Aおよび301B（これらは、それぞれ、図2中の電流レギュレータ208Aおよび208Bとして働く）、それぞれLED列220Aおよび220Bと直列に接続されたスイッチQ1およびQ2、電流検知抵抗器R1およびR2、および演算増幅器305（これは図2中のコントローラ210として働く）を含んでいる。
【００１１】
演算増幅器301Aおよび301Bの両方の非反転入力は、電流基準REFを受信する。演算増幅器301Aの反転入力は、抵抗器R1に接続されていて、LED列220Aの中を流れる電流を示す検知信号303Aを受信する。演算増幅器301Aの出力は、スイッチQ1に接続されていて、電流基準REFおよび検知信号303Aに基づいてスイッチQ1の電圧降下を制御して、LED列220Aの中を流れる電流を調整する。演算増幅器301Bの反転入力は、抵抗器R2に接続されていて、LED列220Aおよび220Bの両方の中を流れる電流を示す検知信号303Bを受信する。演算増幅器301Bの出力は、スイッチQ2に接続されていて、電流基準REFおよび検知信号303Bに基づいてスイッチQ2の電圧降下を制御して、LED列220Aおよび220Bの両方を通る電流を調整する。演算増幅器301A、301B、および305を含む制御回路は、スイッチQ1およびQ2を制御して、LED列220AまたはLED列220Aおよび220Bの両方の中を流れる電流を調整する。
【００１２】
図3の例では、LED列220Aの順方向電圧V1は120Vであり、LED列220Bの順方向電圧V2は21Vである（例えば、3Vの典型的な単一LED順方向電圧降下に対して、列220Aのために40個のLEDがあり、列220Bのために7個のLEDがある）と仮定する。この例は、電源が、85VACではあるが、実際には85VACと115VACの間を変動し得る時の通常動作を示すためのものである。
【００１３】
DC電圧VDCがLED列220Aの順方向電圧未満である時、例えばVDC<120Vである時、電流はLED列220AまたはLED列220Bの中を流れない。DC電圧VDCがLED列220Aの順方向電圧V1以上で、LED列220Aの順方向電圧とLED列220Bの順方向電圧の和未満である時、例えば120V≦VDC<141Vである時、電流はLED列220Bの中を流れない。なぜなら、DC電圧VDCが、LED列220Aの順方向電圧とLED列220Bの順方向電圧の和より低いからである。検知信号303Bはゼロで、グラウンド電位と同じであり、演算増幅器305の出力もゼロである。演算増幅器301Aは、スイッチQ1を制御して、LED列220Aの中を流れる電流を第1の値I1に調整する。
【００１４】
この動作において、スイッチQ1はオンで、スイッチQ2はオフであるので、光源の出力パワーはLED列220Aの出力パワーであり、以下の式によって計算することができる。
P2=V1×I1=120×REF/R1  (1)
【００１５】
DC電圧VDCがLED列220Aの順方向電圧とLED列220Bの順方向電圧の和以上の時、例えばVDC≧141Vの時、演算増幅器301Bは、スイッチQ2を制御して、LED列220Aおよび220Bの中を流れる電流を第2の値I2に調整する。検知信号303Bは、制御されて、電流基準REFに調整される。演算増幅器305の出力もREFに等しい。従って、演算増幅器301AはスイッチQ1をオフにするように制御する。一実施形態において、抵抗R1とR2は異なる値を有している。例えばR2はR1より大きい。I1=REF/R1かつI2=REF/R2なので、第2の値I2は第1の値I1より小さい。従って、DC電圧VDCのレベルに応じて、スイッチQ1またはスイッチQ2が選択的にオンされる。
【００１６】
この状態において、スイッチQ1はオフでスイッチQ2はオンなので、光源の出力パワーはLED列220AとLED列220Bの全出力パワーであり、以下の式によって計算することができる。
P3=(V1+V2)×I2=141×REF/R2  (2)
【００１７】
光源の出力パワーは、電源の変動の下でも実質的に一定であることが望まれるので、式(1)および(2)においてP2はP3に等しくあるべきであり、以下の式を得ることができる。
R1/R2=V1/(V1+V2)=120/141  (3)
【００１８】
上記したようにLED列220AおよびLED列220Bの順方向電圧に従って抵抗器R1およびR2を適切に選択すると、電源の変動の下でも光源の明るさの変化が無視され得るように、光源の出力パワーが実質的に一定に保たれ得る。
【００１９】
さらに、もしAC電圧VACが100VACの代表値を有するのであれば、対応するDC電圧VDCは、〜100×1.4142=141.42Vである。駆動回路300の電力効率は、おおよそ、
効率=(V1+V2)/VDC=141/141.42=99.7%  (4)
である。
【００２０】
対照的に、図1の従来の駆動回路100の電力効率は、120/141.42=84.8%である。更に、電源が115VACまで変化する時、DC電圧VDCは、〜115×1.4142=162.63Vである。図3の駆動回路300の電力効率は、約(120+21)/162.63≒86.7%である。図1の駆動回路100の電力効率は、約120/162.63=73.8%である。従って、本発明による駆動回路は、実際的な応用において電力効率を上げることができる。
【００２１】
図4は、本発明の他の実施形態による、光源駆動回路400を示している。I1とI2のための電流基準がREF1とREF2に対応して別々に設計され得る一方で、電流検知抵抗器R1およびR2は同じ値を有するように選択され得る。同様に、電源電圧が変動する時に光源の実質的な一定のパワーを得るために、LED列の設計および選択は以下の式を満たすべきである。
REF1/REF2=(V1+V2)/V1  (5)
【００２２】
好都合にも、演算増幅器301A、301B、および305を含む制御回路は、駆動回路300および400の電力効率が上昇するように、スイッチQ1およびQ2を選択的にオンして制御する。
【００２３】
具体的には、DC電圧VDCが第1の範囲内にある場合、例えばV1≦VDC<(V1+V2)である場合には、演算増幅器301Aおよび305がスイッチQ1を制御して、LED列220Aの中を流れる電流を第1の値I1に調整する。I2はゼロである。LED列220Aはオンで、LED列220Bはオフである。DC電圧VDCが第2の範囲内にある場合、例えばVDC≧(V1+V2)である場合には、演算増幅器301BがスイッチQ2を制御して、LED列220Aおよび220Bの中を流れる電流を第2の値I2に調整する。I1はゼロである。LED列220Aおよび220Bは両方ともオンされる。さらに重要なことに、抵抗器R1およびR2の抵抗を適切に選択することによって、または第1の電流基準REF1および第2の電流基準REF2を適切に選択することによって、光源の動作間のスイッチング（例えば、1つのLED列のみオンまたは両方のLED列をオン）は、ユーザに対する光源の明るさに影響を及ぼさない。電源が変動する時の光源の明るさの変化は無視できる。
【００２４】
図5は、本発明の他の実施形態による、光源駆動回路500を示している。駆動回路500は、光源（例えば、第1のLED列220Aおよび第2のLED列220B）のパワーを制御する。LED列220AおよびLED列220Bの各LED列は、複数のLEDを含んでいる。光源駆動回路500は、第1のLED列220Aおよび第2のLED列220Bに接続された第1の制御回路502を含んでいて、かつ第1のLED列220Aおよび第2のLED列220Bに接続された第2の制御回路504を含んでいる。第1の制御回路502と第2の制御回路504は、互いに並列に接続されている。光源駆動回路500は、整流器204と、キャパシタ206とを更に含んでいる。整流器204は、電源202からのAC電圧VACを整流する。キャパシタ206は、整流されたAC電圧をフィルタリングして、実質的なDC電圧VDCを提供する。動作中、DC電圧VDCが第1の範囲内にある場合には、第1の制御回路502が第1のスイッチQ1を制御し、かつ第2の制御回路504が第2のスイッチQ3を制御し、第1のLED列220Aをオンして、第1のLED列220Aの中を流れる電流を調整する。第1のスイッチQ1および第2のスイッチQ3は、第1のLED列220Aに接続されている。DC電圧VDCが第2の範囲内にある場合には、第1の制御回路502が第3のスイッチQ2を制御し、かつ第2の制御回路504が第4のスイッチQ4を制御し、LED列220Aと220Bの両方の中を流れる電流を調整する。第3のスイッチQ2および第4のスイッチQ4は、第2のLED列220Bに接続されている。
【００２５】
同様に、動作理論は、上記の説明に従う。並列に接続された制御回路を有する駆動回路500は、LED列202AまたはLED列202Aと202Bの両方に対して分配される電流を提供する。特に、駆動回路500は、より高い電流を必要とする光源のために用いられ得る。
【００２６】
図6は、本発明の他の実施形態による、光源駆動回路600を示している。
【００２７】
図6に示すように、第1の制御回路502は、演算増幅器301Aおよび301B（これらは、それぞれ図5の電流レギュレータ208Aおよび208Bとして動作する）と、それぞれLED列220Aおよび220Bと直列に接続されたスイッチQ1およびQ2と、電流検知抵抗器R1およびR2と、演算増幅器305A（これは、図5のコントローラ210Aとして動作する）とを含んでいる。演算増幅器301Aの非反転入力は、電流基準REFを受信する。
【００２８】
第2の制御回路504は、演算増幅器301Cおよび301D（これらは、それぞれ図5の電流レギュレータ208Cおよび208Dとして動作する）と、それぞれLED列220Aおよび220Bと直列に接続されたスイッチQ3およびQ4と、電流検知抵抗器R3およびR4と、演算増幅器305B（これは、図5のコントローラ210Bとして動作する）とを含んでいる。一実施形態において、第1の制御回路502は、DC電圧VDCが第2の範囲内にある場合、例えばVDC≧(V1+V2)の場合に、スイッチQ1をオフするために動作可能な監視ユニット（図6には示されていない）を更に含み得る。この監視ユニットは、抵抗器R2とスイッチQ1の間に接続されるコンパレータを含んでいてもよく、抵抗器R2の両端の電圧が電流基準REFの電圧まで上昇した場合にスイッチQ1をオフするために動作可能である。同様に、第2の制御回路504は、DC電圧VDCが第2の範囲内にあり、抵抗器R4の両端の電圧が電流基準REFの電圧まで上昇した場合にスイッチQ3をオフするために動作可能な監視ユニット（図6には示されていない）を更に含み得る。
【００２９】
好都合にも、本発明による光源駆動回路は、比較的高いパワー出力を有する光源を駆動するために用いることができ、2つ以上の制御回路の間で電力消費を分割することによって電力損失を減らすことができる。図6の例では、演算増幅器301A、301B、301Cおよび301Dは、同じ電流基準REFを受信する。他の例では、演算増幅器301A、301B、301Cおよび301Dは、上記の説明と同様に異なる電流基準を受信することができる。
【符号の説明】
【００３０】
200  光源駆動回路
202  電力源
204  整流器
206  キャパシタ
208A  第1の電流レギュレータ
208B  第2の電流レギュレータ
210  コントローラ
220A  第1のLED列
220B  第2のLED列
Q1、Q2  スイッチ
R1  第1の電流検知抵抗器
R2  第2の電流検知抵抗器
【図１】
2017054803.tif 000003
【図２】
2017054803.tif 000004
【図３】
2017054803.tif 000005
【図４】
2017054803.tif 000006
【図５】
2017054803.tif 000007
【図６】
2017054803.tif 000008
【外国語明細書】
2017054803000001.pdf